(57)【要約】  ディスプレイ画面用傾斜台アセンブリが提供される。傾斜台アセンブリは、基部アセンブリを含み、基部アセンブリは、基部に位置する面と係合するように構成される基部ケーシングと、基部ケーシングと協調的に傾斜台アセンブリを形成するように構成される基部プレートと、を含む。基部プレートは、前後方向に平行移動し、ディスプレイ画面にピボットを与えるように構成される。
2015521453.tif 000002
【特許請求の範囲】
【請求項１】
ディスプレイ画面用傾斜台アセンブリであって、
基部に位置する面と係合するように構成される基部ケーシングと、前記基部ケーシングと協調的に前記傾斜台アセンブリを形成するように構成される基部プレートと、を含む基部アセンブリを備え、前記基部プレートは、前後方向に平行移動し、前記ディスプレイ画面にピボットを与えるように構成される、
傾斜台アセンブリ。
【請求項２】
前記傾斜台アセンブリは、前記基部ケーシング内に画定される、対応するトラックの中に延びるアンカーアセンブリを備え、前記アンカーアセンブリは、基部の周りを摺動可能である、請求項１に記載の傾斜台アセンブリ。
【請求項３】
前記アンカーアセンブリは、締結装置を備え、前記締結装置は、前記トラックの底部外装面と係合する肩部を画定する、請求項２に記載の傾斜台アセンブリ。
【請求項４】
前記ディスプレイ画面の移動中の支持を与える為に、締結装置の周りに１つ以上のばねが設けられる、請求項３に記載の傾斜台アセンブリ。
【請求項５】
前記締結装置は、前記基部ケーシング及び前記基部プレートを貫通して延びる、請求項３に記載の傾斜台アセンブリ。
【請求項６】
前記締結装置が係合する１つ以上のスライダアセンブリを更に含む、請求項１に記載の傾斜台アセンブリ。
【請求項７】
ディスプレイ画面とともに使用される傾斜台アセンブリであって、
基部に位置する面と係合するように構成される基部ケーシングと、前記基部ケーシングと協調的に前記傾斜台アセンブリを形成するように構成される基部プレートと、を含む基部アセンブリを備え、前記傾斜台アセンブリは、前記基部アセンブリの下方にピボット点を画定する、
傾斜台アセンブリ。
【請求項８】
前記ピボット点は、基部に位置する前記面の下方に画定される、請求項７に記載の傾斜台アセンブリ。
【請求項９】
前記基部アセンブリは、基部に位置する前記面と係合するように構成される基部ケーシングと、前記基部ケーシングと協調的に前記傾斜台アセンブリを形成するように構成される基部プレートと、を含む、請求項７に記載の傾斜台アセンブリ。
【請求項１０】
前記基部ケーシング及び前記基部プレートは、それぞれが、略弧状係合面を画定し、前記基部プレートは、前記基部ケーシングと摺動可能に係合されて、前記ディスプレイ画面を保持する、請求項９に記載の傾斜台アセンブリ。
【請求項１１】
前記ディスプレイ画面は、前記基部ケーシングの周りを前後方向に平行移動可能であり、更に、前記ディスプレイ画面の前後方向の平行移動によって、前記ディスプレイ画面に傾斜角度が与えられる、請求項１０に記載の傾斜台アセンブリ。
【請求項１２】
前記傾斜台アセンブリは、前記基部内に画定される、対応するトラックの中に延びるアンカーアセンブリを備え、前記アンカーアセンブリは、基部の周りを摺動可能である、請求項７に記載の傾斜台アセンブリ。
【請求項１３】
前記アンカーアセンブリは、締結装置を備え、前記締結装置は、前記トラックの底部外装面と係合する肩部を画定する、請求項１２に記載の傾斜台アセンブリ。
【請求項１４】
前記ディスプレイ画面の移動中の支持を与える為に、締結装置の周りに１つ以上のばねが設けられる、請求項１３に記載の傾斜台アセンブリ。
【請求項１５】
前記締結装置は、前記基部ケーシング及び前記基部プレートを貫通して延びる、請求項１４に記載の傾斜台アセンブリ。
【請求項１６】
前記締結装置が係合する１つ以上のスライダアセンブリを更に含む、請求項７に記載の傾斜台アセンブリ。
【請求項１７】
ディスプレイ画面とともに使用される傾斜台アセンブリであって、前記傾斜台アセンブリは、基部アセンブリを備え、
前記基部アセンブリは、前記ディスプレイ画面を保持する、基部に位置する面と係合するように構成され、基部カバーから、協調的に傾斜台アセンブリを形成する基部プレートまで延びるアンカーアセンブリを受ける、前後方向に延びる１つ以上の弧状トラックを画定し、前記傾斜台アセンブリは、前記トラックの前記弧形状に略対応する、前記ディスプレイ画面の平行移動を提供するように構成され、前記トラックは、前記ディスプレイ画面が前記トラックの端部部分に位置する際に減衰力を与える為に、前記トラックの各端部において弾性材料を画定する、
傾斜台アセンブリ。
【請求項１８】
前記弾性材料は、高フリクション材料である、請求項１７に記載の傾斜台アセンブリ。
【請求項１９】
前記弾性材料は、付勢材料である、請求項１７に記載の傾斜台アセンブリ。
【請求項２０】
前記弾性材料は、ばねアセンブリである、請求項１９に記載の傾斜台アセンブリ。
【請求項２１】
前記ディスプレイ画面は、前記基部ケーシングの周りを前後方向に平行移動可能であり、更に、前記ディスプレイ画面の前後方向の平行移動によって、前記ディスプレイ画面に傾斜角度が与えられる、請求項２０に記載の傾斜台アセンブリ。
【請求項２２】
ディスプレイ画面と、
基部アセンブリと、を備え、前記基部アセンブリは、基部に位置する面と係合するように構成される基部ケーシングと、前記基部ケーシングと協調的に傾斜台アセンブリを形成し、前記ディスプレイ画面を保持するように構成される基部プレートと、を含み、前記基部プレートは、前後方向に平行移動するように構成され、前記ディスプレイ画面にピボットを与える、
ディスプレイ画面アセンブリ。
【請求項２３】
前記傾斜台アセンブリは、前記基部アセンブリの下方にピボット点を画定する、請求項２２に記載のディスプレイ画面アセンブリ。
【請求項２４】
前記ピボット点は、基部に位置する前記面の下方に画定される、請求項２２に記載のディスプレイ画面アセンブリ。
【請求項２５】
前記基部アセンブリは、基部カバーから、協調的に前記傾斜台アセンブリを形成する前記基部プレートまで延びるアンカーアセンブリを受ける、前後方向に延びる１つ以上の凸状トラックを画定し、前記傾斜台アセンブリは、前記トラックの前記凸形状に略対応する、前記ディスプレイ画面の平行移動を提供するように構成され、前記トラックは、前記ディスプレイ画面が前記トラックの端部部分にあるように位置する際に減衰力を与える為に、前記トラックの各端部において弾性材料を画定する、請求項２２に記載のディスプレイ画面アセンブリ。
【発明の詳細な説明】
【技術分野】
【０００１】
関連出願の相互参照
本出願は、参照によって開示内容全体が本明細書に組み込まれている、２０１２年５月２９日に出願された米国特許出願第１３／４８２，９６０号の利益を主張するものである。
【０００２】
本発明は、ディスプレイ画面とともに使用される傾斜台アセンブリに関し、より具体的には、販売時点情報管理システム用ディスプレイなどのディスプレイ画面とともに使用される傾斜台アセンブリであって、ディスプレイ画面のグレアが解消されるように傾斜及び平行移動を操作できる傾斜台アセンブリに関する。
【背景技術】
【０００３】
ディスプレイ画面は、様々な電子システムのユーザインタフェースとして使用される。例えば、パーソナルコンピュータは、昔から、ディスプレイ画面を使用して、ディスプレイ画面のユーザに関係のある情報を表示してきており、代替として、ユーザがディスプレイ画面から電子システムに情報を入力することも可能であるように、１つ以上のタッチ応答機能を備えてよい。
【０００４】
時として、近接光又は他の電子機器に起因するグレアが、ディスプレイ画面に反射してユーザの視界に入る場合がある。ディスプレイ画面は、典型的には、略直立の向きで設置され、このような、略直立の向きの表示画面において、その向きの角度を変えると、通常は、グレアが解消されるであろう。これは、グレアの原因である近接光又は電子機器が概して高い仰角にある為に、ディスプレイ画面に反射する光の入射角が通常は大きいことによる。ディスプレイ画面をわずかに傾けると、反射光、即ちグレアが、閲覧者の視界から外れて反射するようになるであろう。
【０００５】
しかしながら、略直立の向きでないディスプレイ画面の場合、ディスプレイ画面を傾けることが、グレアの解消に必ず効果的であるとは限らない。例えば、直立の向きよりかなり小さい角度を向いている可能性がある販売時点情報管理システム用ディスプレイ画面の場合、ディスプレイ画面を傾けても、頭上光などに起因するグレアの入射角が通常は小さい為に、グレアを解消するには不十分であろう。
【発明の概要】
【発明が解決しようとする課題】
【０００６】
そこで、ディスプレイ画面のグレアを解消又は低減できる機器又はシステムが必要とされている。
【課題を解決するための手段】
【０００７】
本発明の実施形態によれば、ディスプレイ画面用傾斜台アセンブリが提供される。傾斜台アセンブリは、基部アセンブリを含み、基部アセンブリは、基部に位置する面と係合するように構成される基部ケーシングと、基部ケーシングと協調的に傾斜台アセンブリを形成するように構成される基部プレートと、を含む。基部プレートは、前後方向に平行移動し、ディスプレイ画面にピボットを与えるように構成される。
【０００８】
本発明の実施形態によれば、ディスプレイ画面とともに使用される傾斜台アセンブリが提供される。傾斜台アセンブリは、基部アセンブリを含み、基部アセンブリは、基部に位置する面と係合するように構成される基部ケーシングと、基部ケーシングと協調的に傾斜台アセンブリを形成するように構成される基部プレートと、を含む。傾斜台アセンブリは、基部アセンブリの下方にピボット点を画定する。
【０００９】
本発明の実施形態によれば、ディスプレイ画面とともに使用される傾斜台アセンブリが提供される。傾斜台アセンブリは、基部アセンブリを含み、基部アセンブリは、前記ディスプレイ画面を保持する、基部に位置する面と係合するように構成される。基部アセンブリは、アンカーアセンブリを受ける、前後方向に延びる１つ以上の凸状トラックを画定する。アンカーアセンブリは、基部カバーから、協調的に傾斜台アセンブリを形成する基部プレートまで延びる。傾斜台アセンブリは、トラックの凸形状に略対応する、ディスプレイ画面の平行移動を提供するように構成される。トラックは、ディスプレイ画面がトラックの端部部分に位置する際に減衰力を与える為に、トラックの各端部において弾性材料を画定する。
【００１０】
本発明の実施形態によれば、ディスプレイ画面アセンブリが提供される。ディスプレイ画面アセンブリは、ディスプレイ画面及び基部アセンブリを含む。基部アセンブリは、基部に位置する面と係合するように構成される基部ケーシングと、基部ケーシングと協調的に傾斜台アセンブリを形成し、ディスプレイ画面を保持するように構成される基部プレートと、を含む。基部プレートは、前後方向に平行移動し、ディスプレイ画面にピボットを与えるように構成される。
【図面の簡単な説明】
【００１１】
【図１】本発明の実施形態に係る傾斜台アセンブリを有するディスプレイ画面の斜視図である。
【図２】本発明の実施形態に係る傾斜台アセンブリの分解斜視図である。
【図３Ａ】本発明の実施形態に係る、傾斜台アセンブリが第１の位置にあるディスプレイ画面の側面図である。
【図３Ｂ】本発明の実施形態に係る、傾斜台アセンブリが第２の位置にあるディスプレイ画面の側面図である。
【図３Ｃ】本発明の実施形態に係る、傾斜台アセンブリが第３の位置にあるディスプレイ画面の側面図である。
【図４Ａ】本発明の実施形態に係る、図３Ａのディスプレイ画面に対応する第１の位置にある傾斜台アセンブリの側面断面図である。
【図４Ｂ】本発明の実施形態に係る、図３Ｂのディスプレイ画面に対応する第２の位置にある傾斜台アセンブリの側面断面図である。
【図４Ｃ】本発明の実施形態に係る、図３Ｃのディスプレイ画面に対応する第３の位置にある傾斜台アセンブリの側面断面図である。
【図５】本発明の実施形態に係る傾斜台アセンブリの分解斜視図である。
【発明を実施するための形態】
【００１２】
本明細書では、本発明の実施形態による、例示的なディスプレイ画面用傾斜台アセンブリ、並びに、関連する、傾斜台アセンブリを有するディスプレイ画面について説明する。特に、本明細書では、前後方向に平行移動するように構成され、更にディスプレイ画面にピボットを与える例示的傾斜台アセンブリについて説明する。
【００１３】
図１は、全図面を通して、まとめて「１０」として参照されるディスプレイ画面アセンブリを示す。ディスプレイ画面アセンブリ１０は、ディスプレイ画面１２及び傾斜台アセンブリ１４を含む。ディスプレイ画面１２は、基部支持面に対して約４５度の角度を有するように図示されているが、ディスプレイ画面１２は、任意の所望の向きを有してよい。ディスプレイ画面１２は、例えば、販売時点情報管理システム（ＰＯＳ）用ディスプレイ画面であってよく、例えば、 セルフチェックアウト用レジにおいて使用されるＰＯＳ用ディスプレイ画面であってよい。
【００１４】
図２は、ディスプレイ画面１２とともに使用される傾斜台アセンブリ１４の分解図を示す。傾斜台アセンブリ１４は、大まかには、基部アセンブリ１６を含む。基部アセンブリ１６は、基部ケーシング２０を含む。基部プレート２２が、基部ケーシング２０の周りを摺動可能に動くように構成される。基部ケーシング２０及び基部プレート２２は、協調的に、図１に示された傾斜台アセンブリ１４を形成する。基部ケーシング２０の底部外装面を形成する為、並びに、アンカーアセンブリ２６を封入する為に、底部プレート２４が設けられる。アンカーアセンブリ２６は、基部ケーシング２０の内部から、基部ケーシング２０内で画定されるトラック３０を貫通して延び、基部プレート２２と係合するように構成される。
【００１５】
アンカーアセンブリ２６は、リテーナブロック３８を含み、リテーナブロック３８は、その中でチャネル３９を画定する。チャネル３９は、締結装置３２を受けるように構成され、締結装置３２は、チャネル３９を貫通してスライダブロック３６に入り、更に、基部プレート２２に入る。締結装置３２上に形成された肩部３４が、締結装置３２をスライダブロック３６に対して固定する。減衰抵抗を与えて摩耗を改善する為に、１つ以上のばね４２が、締結装置３２と同軸に位置合わせされるように設けられてよい。締結装置３２を受け、これと係合する為に、ナット４４のような解除可能な締結装置が、基部プレート２２の上部外装面上に与えられてよい。締結装置３２と更に係合する為に、且つ、締結装置３２に緊張力を与える為に、１つ以上のワッシャ４６が与えられてよく、ワッシャ４６は、皿ばね又はスプリングワッシャを含んでよい。基部面のトラクション特性を向上させる為に、底部プレート２４の底部外装部分上に１つ以上のパッド５０が与えられてよい。リテーナブロック３８及びスライダブロック３６は、それぞれ、十分な強度を有しながら、低フリクションである、ポリオキシメチレンなどのポリマーから作られてよい。
【００１６】
チャネル３９は、締結装置３２がチャネル３９のいずれかの終端部に近づくにつれて締結装置３２に抵抗を与える１つ以上の材質又は特性を含んでよい。このように、チャネル３９は、その端部において、例えば、弾性材料４１を含んでよい。弾性材料４１は、フェルト状又は他の繊維ベースの材料、ポリマーベースの材料、ばね又は他の付勢材料などであってよい。このように、材料４１は、ディスプレイ画面１２がチャネル３９の末端位置に向かって前後方向に平行移動する際にディスプレイ画面１２の平行移動速度を制限又は低減する為に与えられてよい。
【００１７】
図３Ａ、図３Ｂ、及び図３Ｃのそれぞれにおいて、様々な位置にあるディスプレイ画面アセンブリ１０が示されている。図３Ａには、第１の位置にあるディスプレイ画面アセンブリ１０が示されており、この位置では、ディスプレイ画面１２は、図３Ｂ及び図３Ｃのそれぞれに示されているディスプレイ画面１２の位置より前方に傾いている。図３Ａに示された実施形態では、ディスプレイ画面１２は、図３Ｂに示されたディスプレイ画面１２の位置より約５度、前方に傾いている。又、ディスプレイ画面１２は、図示されるように、図３Ｂに示されたディスプレイ画面１２の位置より前方に平行移動している。このように、ディスプレイ画面１２は、同じ動きの中で、前方に傾き、前方に平行移動する。これは、そのままではユーザからディスプレイ画面１２に反射して見えるであろうグレアの解消に役立ちうる。
【００１８】
図３Ｂには、第２の位置にあるディスプレイ画面アセンブリ１０が示されており、この位置では、ディスプレイ画面１２は、図３Ａに示されているディスプレイ画面１２の位置より後方に傾いている。図３Ｂに示された実施形態では、ディスプレイ画面１２は、図３Ａに示されたディスプレイ画面１２より約５度、後方に傾いている。又、ディスプレイ画面１２は、図示されるように、図３Ａに示されたディスプレイ画面１２の位置より後方に平行移動している。このように、ディスプレイ画面１２は、ユーザからの同じ入力により、後方に傾き、後方に平行移動する。
【００１９】
図３Ｃには、第３の位置にあるディスプレイ画面アセンブリ１０が示されており、この位置では、ディスプレイ画面１２は、図３Ｂに示されているディスプレイ画面１２の位置より後方に傾いている。図３Ｃに示された実施形態では、ディスプレイ画面１２は、図３Ｂに示されたディスプレイ画面１２の位置より約５度、後方に傾いている。又、ディスプレイ画面１２は、図示されるように、図３Ｂに示されたディスプレイ画面１２の位置より後方に平行移動している。このように、ディスプレイ画面１２は、ユーザからの同じ入力により、後方に傾き、後方に平行移動する。
【００２０】
図３Ａ、図３Ｂ、及び図３Ｃのそれぞれに示されるように、基部ケーシング２０の下方にピボット点５０が画定される。ピボット点５０は、基部ケーシング２０の断面が凸状であることにより、基部プレート２２がピボット点５０の周りを平行移動するように画定される。このように、基部プレート２２の底部外装面は、基部ケーシング２０の上部外装凹状面と合致するように、相応に整形された凸状の底部外装面を有する。本明細書に開示の実施形態によれば、ピボット点５０は、基部ケーシング２０と係合する基部面５２の下方に画定されてよい。ピボット点５０をケーシング２０の下方に有利に配置することにより、ピボット点が面５２の上方にある場合より移動半径が大きくなり、それによって、ディスプレイ画面１２の傾斜角度の微調整が可能になる。
【００２１】
図３Ａ、図３Ｂ、及び図３Ｃに示された有利な傾斜及び平行移動の動きを、図４Ａ、図４Ｂ、及び図４Ｃにおいて更に詳細に示す。図４Ａに示された傾斜台アセンブリ１４の断面図は、図３Ａに示されたような第１の位置を表している。同様に、図４Ｂに示された傾斜台アセンブリ１４の断面図は、図３Ｂに示されたような第２の位置を表しており、図４Ｃに示された傾斜台アセンブリ１４の断面図は、図３Ｃに示されたような第３の位置を表している。図４Ａでは、アンカーアセンブリ２６は、基部ケーシング２０内を前方に平行移動している。これは、ユーザがディスプレイ画面１２をつかんで基部ケーシング２０の前方に向かって引くことによって与えられる摺動移動によって達成される。締結装置３２は、リテーナブロック３８に形成されたチャネル３９の中で前方に平行移動することが可能である。同様に、図４Ｂでは、アンカーアセンブリ２６は、基部ケーシング２０内を、図３Ａの場合より後方に平行移動している。これも、ユーザによって与えられる動きによって達成可能である。図４Ｃでは、アンカーアセンブリ２６は、基部ケーシング２０内を、図３Ｂの場合より後方に平行移動している。これも、ユーザによって与えられる動きによって達成可能である。
【００２２】
傾斜台アセンブリ１１４の実施形態を、図５において分解図で示す。傾斜台アセンブリ１１４は、傾斜台アセンブリ１４の機能の多くを踏襲している。傾斜台アセンブリ１１４は、大まかには、基部アセンブリ１１６を含む。基部アセンブリ１１６は、基部ケーシング１２０を含む。基部プレート１２２が、基部ケーシング１２０の周りを摺動可能に動くように構成される。基部ケーシング１２０の底部外装面を形成する為、並びに、アンカーアセンブリ１２６を封入する為に、底部プレート１２４が設けられる。アンカーアセンブリ１２６は、基部ケーシング１２０の内部から、基部ケーシング１２０内で画定されるトラック１３０を貫通して延び、基部プレート１２２と係合するように構成される。
【００２３】
トラック１３０は、締結装置１３２を受けるように構成され、締結装置１３２は、トラック１３０を貫通してスライダブロック１３６に入り、更に、基部プレート１２２に入る。締結装置１３２上に形成された肩部１３４が、締結装置１３２を基部ケーシング１２０に対して固定する。減衰抵抗を与えて摩耗を改善する為に、１つ以上のばね１４２が、締結装置１３２と同軸に位置合わせされるように設けられてよい。締結装置１３２を受け、これと係合する為に、ナット１４４のような解除可能な締結装置が、基部プレート１２２の上部外装面上に与えられてよい。締結装置１３２と更に係合する為に、且つ、締結装置１３２に緊張力を与える為に、１つ以上のワッシャ１４６が与えられてよく、ワッシャ１４６は、皿ばね又はスプリングワッシャを含んでよい。基部面のトラクション特性を向上させる為に、底部プレート１２４の底部外装部分上に１つ以上のパッド１５０が与えられてよい。スライダブロック１３６は、十分な強度を有しながら、低フリクションである、ポリオキシメチレンなどのポリマーから作られてよい。
【００２４】
トラック１３０は、締結装置１３２がチャネル１３９のいずれかの終端部に近づくにつれて締結装置１３２に抵抗を与える１つ以上の材質又は特性を含んでよい。このように、トラック１３０は、その端部において、例えば、弾性材料１４１を含んでよい。弾性材料１４１は、フェルト状又は他の繊維ベースの材料、ポリマーベースの材料、ばね又は他の付勢材料などであってよい。このように、材料１４１は、ディスプレイ画面１１２がトラック１３０の末端位置に向かって前後方向に平行移動する際にディスプレイ画面１１２の平行移動速度を制限又は低減する為に与えられてよい。
【００２５】
本明細書において使用された術語は、特定の実施形態を説明することのみを目的としており、本発明の限定を意図したものではない。本明細書において使用された単数形「ａ」、「ａｎ」、及び「ｔｈｅ」は、文脈上明らかに矛盾する場合を除き、複数形も同様に包含するものとする。更に、用語「ｃｏｍｐｒｉｓｅｓ（備える）」及び／又は「ｃｏｍｐｒｉｓｉｎｇ（備える）」は、本明細書で使用された際には、述べられた特徴、整数、手順、操作、要素、及び／又は構成要素の存在を明記するものであり、１つ以上の他の特徴、整数、手順、操作、要素、構成要素、及び／又はこれらの集まりの存在又は追加を排除するものではないことを理解されたい。
【００２６】
本発明の記載は、図解及び説明を目的として提示されており、包括的であることも、開示された形態での発明に限定されることも意図していない。当業者であれば、本発明の範囲及び趣旨から逸脱しない、様々な修正及び変形が明らかであろう。本実施形態は、本発明の原理及び実際の適用を最もよく説明する為に、且つ、他の当業者が、想定される特定の使用に適した様々な修正を有する様々な実施形態に関して本発明を理解することを可能にするように、選択され説明されたものである。
【図１】
2015521453.tif 000003
【図２】
2015521453.tif 000004
【図３Ａ】
2015521453.tif 000005
【図３Ｂ】
2015521453.tif 000006
【図３Ｃ】
2015521453.tif 000007
【図４Ａ】
2015521453.tif 000008
【図４Ｂ】
2015521453.tif 000009
【図４Ｃ】
2015521453.tif 000010
【図５】
2015521453.tif 000011
【国際調査報告】
2015521453.tif 000012
2015521453.tif 000013